(57)【要約】【課題】小型の電子機器のスロットにも、あるいは、外部機器のスロットにも容易かつ確実に着脱できるカード型周辺装置を提供する。【解決手段】第１のケース２２と、第１のケース２２に収容された電子部品と、第１のケース２２の前端（長さ方向の一端）に設けられ外部機器と電子部品２４とを電気的に接続するためのコネクタ２６とを有している。アタッチメント３０は第２のケース３２を備えている。第１のケース２２の後端（長さ方向の他端）と第２のケース３２の前端（長さ方向の一端）に、それらの長さ方向を並べた状態でそれら第１のケース２２と第２のケース３２が着脱可能に装着される装着部が設けられている。【選択図】図４
2006106826.tif 000002
【特許請求の範囲】
【請求項１】
幅および長さ並びに厚さを有する第１のケースと、前記第１のケースに収容された電子部品と、前記第１のケースの長さ方向の一端に設けられ外部機器と前記電子部品とを電気的に接続するためのコネクタとからなるカード型周辺装置であって、
前記第１のケースの長さ方向の他端に、長さを有する第２のケースを備えたアタッチメントが着脱可能に装着される装着部が設けられている、
ことを特徴とするカード型周辺装置。
【請求項２】
前記第１のケースの長さ方向の他端に、前記第１のケースの前記厚さ方向の端部に位置する表面あるいは前記幅方向の端部に位置する側面に出没可能に突起が配設され、前記突起には、前記装着部に前記第２のケースが装着された際に前記突起を前記表面あるいは前記側面から前記第１のケースの内部に没入させる連動機構が連結されていることを特徴とする請求項１記載のカード型周辺装置。
【請求項３】
幅および長さ並びに厚さを有する第１のケースと、前記第１のケースに収容された電子部品と、前記第１のケースの長さ方向の一端に設けられ外部機器と前記電子部品とを電気的に接続するためのコネクタとからなるカード型周辺装置であって、
長さを有する第２のケースを備えたアタッチメントが設けられ、
前記第１のケースの長さ方向の他端と前記第２のケースの長さ方向の一端に、それらの長さ方向を並べた状態でそれら第１のケースと第２のケースが着脱可能に装着される装着部が設けられている、
ことを特徴とするカード型周辺装置。
【請求項４】
第２のケースは、第１のケースの幅および厚さと等しい寸法の幅および厚さを有し、前記装着部は、それらの幅および厚さを合致させた状態でそれら第１のケースと第２のケースが着脱可能に装着されるように構成されていることを特徴とする請求項３記載のカード型周辺装置。
【請求項５】
前記第１ケースの装着部は、前記第１のケースの他端から前記長さ方向に突出する係合凸部を有し、前記第２のケースの前記装着部は、前記第２のケースの一端に形成され前記係合凸部が嵌合される係合凹部を有し、前記係合凸部が前記係合凹部に嵌合された状態で第１のケースに対する第２のケースの位置決めが行われ、さらに第１のケースおよび第２のケースの装着部にはそれらの位置決め状態を保持する係脱機構が設けられていることを特徴とする請求項３記載のカード型周辺装置。
【請求項６】
前記第１のケースの前記装着部は、前記第１のケースの他端から前記長さ方向に突出する係合凸部と、前記係合凸部の表面に設けられた係止凹部とを有し、前記第２のケースの前記装着部は、前記第２のケースの一端に形成され前記係合凸部が嵌合される係合凹部と、前記係止凹部に係止される係止爪とを有し、前記係止爪と係止凹部により前記係脱機構が構成されていることを特徴とする請求項５記載のカード型周辺装置。
【請求項７】
前記係止凹部は前記第１のケースの前記他端の幅方向両側にそれぞれ設けられ、前記係止爪は前記第２のケースの前記一端の幅方向の両側にそれぞれ設けられていることを特徴とする請求項６記載のカード型周辺装置。
【請求項８】
前記第２ケースの装着部は、前記第２のケースの一端から前記長さ方向に突出する係合凸部を有し、前記第１のケースの前記装着部は、前記第１のケースの他端に形成され前記係合凸部が嵌合される係合凹部を有し、前記係合凸部が前記係合凹部に嵌合された状態で第１のケースに対する第２のケースの位置決めが行われ、さらに第１のケースおよび第２のケースの装着部にはそれらの位置決め状態を保持する係脱機構が設けられていることを特徴とする請求項３記載のカード型周辺装置。
【請求項９】
前記第２のケースの前記装着部は、前記第２のケースの一端から前記長さ方向に突出する係合凸部と、前記長さ方向に突出する係止爪とを有し、前記第１のケースの前記装着部は、前記第１のケースの他端に形成され前記係合凸部が嵌合される係合凹部と、前記係止爪が係止される係止凹部とを有し、前記係止爪と係止凹部により前記係脱機構が構成されていることを特徴とする請求項８記載のカード型周辺装置。
【請求項１０】
前記係合凸部は、前記第２のケースの幅方向の中央に設けられ、前記係止爪は前記係合凸部の両側にそれぞれ設けられ、前記係合凹部は、前記第１のケースの幅方向の中央に設けられ、前記係止凹部は前記係合凹部の両側にそれぞれ設けられていることを特徴とする請求項９記載のカード型周辺装置。
【請求項１１】
幅および長さ並びに厚さを有する第１のケースと、前記第１のケースに収容された電子部品と、前記第１のケースの長さ方向の一端に設けられ外部機器と前記電子部品とを電気的に接続するためのコネクタとからなるカード型周辺装置であって、
前記第１のケースの長さ方向の他端に、前記第１のケースの表面から突出する突起が設けられている、
ことを特徴とするカード型周辺装置。
【発明の詳細な説明】
【技術分野】
【０００１】
本発明はカード型周辺装置に関する。
【背景技術】
【０００２】
従来からパーソナルコンピュータなどのカードスロットに装着されるＰＣカードと称されるカード型周辺装置が用いられている。
近年、パーソナルコンピュータの小型化および高速化に伴い、前記ＰＣカードよりも外形寸法が小さく、かつ、データの転送速度が高速なカード型周辺装置としてＥｘｐｒｅｓｓ  Ｃａｒｄ（旧称ＮＥＷＣＡＲＤ）が提案されている（例えば非特許文献１参照）。
【非特許文献１】日経エレクトロニクス２００３年６月９日号ｐｐ．６７−７６．「ＰＣカードを小型・高速に新規格「ＮＥＷＣＡＲＤ」がパソコンの進化を後押し」
【発明の開示】
【発明が解決しようとする課題】
【０００３】
Ｅｘｐｒｅｓｓ  Ｃａｒｄが装脱されるカードスロットが設けられた外部機器として、例えば携帯電話機やデジタルスチルカメラなどの小型の電子機器を考えた場合、Ｅｘｐｒｅｓｓ  Ｃａｒｄはその外形寸法がＰＣカードよりも小型化されているとはいえ、長さ７５ｍｍ、幅３４ｍｍ、厚さ５ｍｍであるため、小型の電子機器に装着する上で不利がある。
このため、Ｅｘｐｒｅｓｓ  Ｃａｒｄよりも外形寸法が小型でＥｘｐｒｅｓｓ  Ｃａｒｄ用のスロットに装着可能な新規なカード型周辺装置が求められている。
また、このような小型のカード型周辺装置は、前記小型の電子機器以外のパーソナルコンピュータなどの比較的大きな外部機器のスロットに装着して使用する場合もあるため、小型の電子機器に設けられたスロットにも、あるいは、前記外部機器に設けられたスロットにも容易かつ確実に着脱できることが重要となる。
本発明はこのような事情に鑑みなされたものであり、その目的は、小型の電子機器のスロットにも、あるいは、外部機器のスロットにも容易かつ確実に着脱できるカード型周辺装置を提供することにある。
【課題を解決するための手段】
【０００４】
上述の目的を達成するため、本発明のカード型周辺装置は、幅および長さ並びに厚さを有する第１のケースと、前記第１のケースに収容された電子部品と、前記第１のケースの長さ方向の一端に設けられ外部機器と前記電子部品とを電気的に接続するためのコネクタとからなるカード型周辺装置であって、前記第１のケースの長さ方向の他端に、長さを有する第２のケースを備えたアタッチメントが着脱可能に装着される装着部が設けられていることを特徴とする。
また、本発明は、幅および長さ並びに厚さを有する第１のケースと、前記第１のケースに収容された電子部品と、前記第１のケースの長さ方向の一端に設けられ外部機器と前記電子部品とを電気的に接続するためのコネクタとからなるカード型周辺装置であって、長さを有する第２のケースを備えたアタッチメントが設けられ、前記第１のケースの長さ方向の他端と前記第２のケースの長さ方向の一端に、それらの長さ方向を並べた状態でそれら第１のケースと第２のケースが着脱可能に装着される装着部が設けられていることを特徴とする。
また、本発明は、幅および長さ並びに厚さを有する第１のケースと、前記第１のケースに収容された電子部品と、前記第１のケースの長さ方向の一端に設けられ外部機器と前記電子部品とを電気的に接続するためのコネクタとからなるカード型周辺装置であって、前記第１のケースの長さ方向の他端に、前記第１のケースの表面から突出する突起が設けられていることを特徴とする。
【発明の効果】
【０００５】
第１のケースと第２のケースが装着部によって着脱可能に装着されるので、携帯電話機などの小型の電子機器に設けられたスロットにカード型周辺装置単体を装着して使用できることは無論のこと、カード型周辺装置にアタッチメントを結合することで、カード型周辺装置をパーソナルコンピュータなどの外部機器に設けられた第１のケースの長さよりも大きな寸法の深さを有するスロットに対しても容易かつ確実に着脱することができる。
【発明を実施するための最良の形態】
【０００６】
小型の電子機器のスロットにも、あるいは、外部機器のスロットにも容易かつ確実に着脱できるカード型周辺装置を提供するという目的を、第１のケースの長さ方向の他端にアタッチメントが着脱可能に装着される装着部を設けることによって実現した。
【実施例１】
【０００７】
次に本発明の実施例１について図面を参照して説明する。
なお、以下の実施例ではカード型周辺装置がメモリカードである場合について説明する。
図１（Ａ）はＥｘｐｒｅｓｓ  Ｃａｒｄの平面図、（Ｂ）は（Ａ）のＢ矢視図、（Ｃ）は（Ａ）のＣ矢視図、（Ｄ）は（Ａ）のＤ矢視図、図２（Ａ）、(Ｂ)、(Ｃ)はＥｘｐｒｅｓｓ  Ｃａｒｄと本実施例のメモリカードの関係を示す説明図である。
図３は実施例１のメモリカードの分解斜視図、図４（Ａ）は実施例１のメモリカードと第２のケースとが分離された状態を示す斜視図、（Ｂ）は実施例１のメモリカードと第２のケースとが装着された状態を示す斜視図である。
本実施例のメモリカードは、アタッチメント３０を含んで構成されている。
図３に示すように、メモリカード２０は、前後方向の長さと長さよりも小さい寸法の左右方向の幅と幅よりも小さい寸法の上下方向の厚さを有する第１のケース２２と、第１のケース２２に収容された電子部品２４と、第１のケース２２の前端（長さ方向の一端）に設けられ外部機器と電子部品２４とを電気的に接続するためのコネクタ２６とを有している。
第１のケース２２の幅と厚さはＥｘｐｒｅｓｓ  Ｃａｒｄの幅と厚さと同一の寸法である。
図１に示すようにＥｘｐｒｅｓｓ  Ｃａｒｄ１０は、前後方向の長さと長さよりも小さい寸法の左右方向の幅と幅よりも小さい寸法の上下方向の厚さを有するケース１２を有し、具体的には長さ７５ｍｍ、幅３４ｍｍ、厚さ５ｍｍであり、したがって第１のケース２２の幅は３４ｍｍ、厚さは５ｍｍである。ケース１２の前端にはコネクタ１４が設けられている。
コネクタ２６は前記のコネクタ１４と同一の構造を有し、パーソナルコンピュータなどの外部機器のＥｘｐｒｅｓｓ  Ｃａｒｄ用のコネクタに装脱可能に構成されている。
第１のケース２２の長さは、Ｅｘｐｒｅｓｓ  Ｃａｒｄ１０の長さよりも小さい寸法で形成され、例えば、図２（Ａ）、(Ｂ)、(Ｃ)に示すように、Ｅｘｐｒｅｓｓ  Ｃａｒｄ１０をその長さ方向で切断した寸法で形成されている。
【０００８】
図３に示すように、第１のケース２２は、上ケース２２０２と、下ケース２２０４と、前キャップ２２０６と、後キャップ２２０８とを有し、重ね合わされた上ケース２２０２と下ケース２２０４の前端に前キャップ２２０６が取着されると共に後端に後キャップ２２０８が取着されることで構成されている。
これら上ケース２２０２と、下ケース２２０４と、前キャップ２２０６と、後キャップ２２０８で画成される内部空間に電子部品２４が収容されている。
電子部品２４は、絶縁基板に導電パターンが形成されることで構成された長さと幅を有するプリント基板２４０２と、プリント基板２４０２上に実装されたメモリ素子や該メモリ素子を駆動するためのＩＣを含む部品２４０４とを有し、プリント基板２４０２の長さ方向と幅方向を第１のケース２２の長さ方向と幅方向に合致させた状態で第１のケース２２内に配設されている。
プリント基板２４０２が前キャップ２２０６に臨む前部には、複数の接片２４０８が幅方向に間隔をおいて設けられている。
前キャップ２２０６は、上ケース２２０２と下ケース２２０４の前端に取着された状態で幅方向および前後方向に延在する収容空間２２０９を有し、収容空間２２０９は前キャップ２２０６の前面に設けられた開口２２１０を介し前方に開放されている。
プリント基板２４０８の各接片２４０８は収容空間２４０９内に位置し、コネクタ２６は収容空間２２０９と開口２２１０と各接片２４０８によって構成されている。
【０００９】
アタッチメント３０は、長さを有する第２のケース３２を備えている。
この場合の第２のケースの長さは、図２（Ａ）、(Ｂ)、(Ｃ)に示すように、第１のケース２２の長さに対応して決定され、第１のケース２２および第２のケース３２を装着した状態で、それらの長さがＥｘｐｒｅｓｓ  Ｃａｒｄ１０の長さと同一の寸法となるように形成されている。
第１のケース２２の後端（長さ方向の他端）と第２のケース３２の前端（長さ方向の一端）に、それらの長さ方向を並べた状態でそれら第１のケース２２と第２のケース３２が着脱可能に装着される装着部が設けられている。本実施例では、装着部は、それらの幅および厚さを合致させた状態（第１のケース２２の上下面と第２のケース３２の上下面がそれぞれ同一面上を延在し、第１のケース２２の左右側面と第２のケース３２の左右側面が同一面上を延在する状態）でそれら第１のケース２２と第２のケース３２が着脱可能に装着されるように構成されている。
【００１０】
第１のケース２２の装着部は、第１のケース２２の長さ方向の他端に設けられた係合凸部２２１０と、係止凹部２２１２とで構成されている。
係合凸部２２１０は第１のケース２２の他の部分よりも断面が一回り小さく形成されている。
係止凹部２２１２は厚さ方向の両端に位置する係合凸部２２１０の上面および下面に幅方向に間隔をおいて２つずつ設けられている。これら係合凸部２２１０および係止凹部２２１２はメモリカード２０にアタッチメント３０を装着する際の位置決め部材および位置決め孔として機能している。
第２のケース３２の装着部は、係合凸部２２１０が嵌合される係合凹部３２０２と、上面下面に幅方向に間隔をおいて２つずつ設けられ上下方向に弾性変形可能な係止爪３２０４とで構成されている。
第１のケース２２の係合凸部２２１０が第２のケース３２の係合凹部３２０２に挿入された状態で第１ケース２２の各係止凹部２２１２に第２のケース３２の各係止爪３２０４が係止することで第１のケース２２と第２のケース３２が一体的に結合されるように構成されている。本実施例では、係合凸部２２１０が係合凹部３２０２に嵌合され第１のケース２２に対して第２のケース２２の位置決めが行われた状態を保持する係脱機構が係止爪３２０４と係止凹部２２１２により構成されている。
第１のケース２２と第２のケース３２が一体的に結合された状態で、これら第１のケース２２および第２のケース３２がなす外形形状は、Ｅｘｐｒｅｓｓ  Ｃａｒｄ１０と同じ外形形状となる。
第１のケース２２と第２のケース３２の結合の解除は、第１のケース２２と第２のケース３２を長さ方向に沿って互いに離間する方向に引っ張ることで係止凹部２２１２と係止爪３２０４の係止を解除することでなされる。なお、コネクタ２６とＥｘｐｒｅｓｓ  Ｃａｒｄ用のコネクタとが装着された状態においてそれらコネクタを解除するために必要な力よりも大きな力ではじめて係止凹部２２１２と係止爪３２０４の係止が解除されるように構成されている。
【００１１】
このようなメモリカード２０によれば、携帯電話機などの小型の電子機器に設けられたスロットにメモリカード２０単体を装着して使用できることは無論のこと、メモリカード２０にアタッチメント３０を結合することで、メモリカード２０をパーソナルコンピュータなどの外部機器に設けられたＥｘｐｒｅｓｓ  Ｃａｒｄ専用のスロットに対しても容易かつ確実に着脱することができる。
例えばメモリカード２０を単体でＥｘｐｒｅｓｓ  Ｃａｒｄ専用のスロットに装着した場合には、前記専用のスロットの深さ（メモリカード２０の挿入方向の寸法）がメモリカード２０の長さ方向の寸法よりも大きいため、メモリカード２０が前記専用のスロットの内側に落ち込んで取り出せなくなるといった不都合が生じるが、本実施例によればアタッチメント３０を用いることでＥｘｐｒｅｓｓ  Ｃａｒｄと同一の外形形状となるためこのような不都合を確実に回避することができる。
【実施例２】
【００１２】
次に実施例２について説明する。
実施例２が実施例１と異なるのは、第１のケース２２および第２のケース３２の装着部の構成である。
図５は実施例２のメモリカード２０の斜視図、図６は実施例２のアタッチメント３０の斜視図、図７は実施例２のアタッチメント３０の構成を示す説明図、図８（Ａ）、（Ｂ）、（Ｃ）はメモリカード２０とアタッチメント３０の装脱動作を示す説明図である。なお、以下の実施例では実施例１と同様の部分および部材には同一の符号を付して説明する。
【００１３】
図５に示すように、メモリカード２０は、実施例１と同様に、第１のケース２２と、第１のケース２２に収容された不図示の電子部品と、第１のケース２２の前端（長さ方向の一端）に設けられたコネクタ２６とを有している。
図６に示すように、アタッチメント３０は、長さを有する第２のケース３２を備え、第２のケース３２は第１のケース２２の幅および厚さと同一の寸法の幅および厚さを有している。
第２のケース３２の長さは、実施例１と同様に、図２（Ａ）、(Ｂ)、(Ｃ)に示すように、第１のケース２２の長さに対応して決定され、第１のケース２２および第２のケース３２を装着した状態で、それらの長さがＥｘｐｒｅｓｓ  Ｃａｒｄ１０の長さと同一の寸法となるように形成されている。
第１のケース２２の後端（長さ方向の他端）と第２のケース３２の前端（長さ方向の一端）に、それらの長さ方向を並べた状態でそれら第１のケース２２と第２のケース３２が着脱可能に装着される装着部が設けられている。これら装着部は、実施例１と同様に、それらの幅および厚さを合致させた状態でそれら第１のケース２２と第２のケース３２が着脱可能に装着されるように構成されている。
【００１４】
図６、図７に示すように、第２のケース３２の装着部は、第２のケース３２の長さ方向の端面３２０９から長さ方向に突出する係合凸部３２１０と、長さ方向に突出する係止爪３２１２とで構成されている。
係合凸部３２１０は第２のケース３２の幅方向の中央に設けられ、第２のケース３２の他の部分よりも断面が小さく形成されている。
係止爪３２１２は、幅方向における係合凸部３２１０の両側の端面３２０９箇所からそれぞれ突出形成されている。
図７に示すように、各係止爪３２１２は、先部３２１２Ａが端面３２０９から前方に突出し、中間部３２１２Ｂが第２のケース３２の厚さ方向に延在する軸線回りに揺動可能に支持され、後部３２１２Ｃが第２のケース３２の幅方向の両側に設けられた開口３２１０を通し第２のケース３２の外部に露出している。
第２のケース３２の内部で各係止爪３２１２の先部３２１２Ａ間にはコイルばね３２１３が張設され、これにより各係止爪３２１２の先部３２１２Ａが互いに近接する方向に付勢されている。
各係止爪３２１２は、不図示のストッパに当接することで後部３２１２Ｃが第２のケース３２の外面と同一面か、それよりの幅方向の内方に位置するように構成されており、後部３２１２Ｃが幅方向内方に押し込まれることで、各先部３２１２Ａが幅方向外方に広がるように構成されている。
【００１５】
図５に示すように、第１のケース２２の装着部は、係合凸部３２１０が嵌合される係合凹部２２１４と、係止爪３２１２が係止される係止凹部２２１６とで構成されている。これら係合凸部３２１０および係止凹部２２１４はメモリカード２０にアタッチメント３０を装着する際の位置決め部材および位置決め孔として機能している。本実施例では、係合凸部３２１０が係合凹部２２１４に嵌合され第１のケース２２に対して第２のケース３２の位置決めが行われた状態を保持する係脱機構が係止爪３２１２と係止凹部２２１６により構成されている。
係合凹部２２１４は、第１のケース２２の幅方向の中央に設けられ、係止凹部３２１６は係合凹部２２１４の両側にそれぞれ設けられている。
【００１６】
図８（Ａ）、（Ｂ）、（Ｃ）に示すように、第１のケース２２の係合凹部２２１４に第２のケース３２の係合凸部３２１０が挿入されると、第１ケース２２の各係止凹部２２１６に第２のケース３２の各係止爪３２１２の先部３２１２Ａが係止することで第１のケース２２と第２のケース３２が一体的に結合される。すなわち、メモリカード２０の係合凹部２２１４にアタッチメント３０の係合凸部３２１０を単に挿入するという簡単な操作によりメモリカード２０のアタッチメント３０を連結することができる。
第１のケース２２と第２のケース３２が一体的に結合された状態で、これら第１のケース２２および第２のケース３２がなす外形形状は、Ｅｘｐｒｅｓｓ  Ｃａｒｄ１０と同じ外形形状となる。
第１のケース２２と第２のケース３２の結合の解除は、図８（Ｂ）に示すように、第２のケース３２の２つの係止爪３２１２の後部３２１２Ｃを幅方向内方に押し込み、第１ケース２２の各係止凹部２２１６と第２のケース３２の各係止爪３２１２の先端３２１２Ａの係止を解除し、その状態で、図８（Ｃ）に示すように、第１のケース２２と第２のケース３２を長さ方向に沿って互いに離間する方向に動かすことでなされる。
【００１７】
このようなメモリカード２０によれば、実施例１と同様の作用効果を奏することができる。
【実施例３】
【００１８】
次に実施例３について説明する。
実施例３が実施例１、２と異なるのは、第１のケース２２および第２のケース３２の装着部の構成である。
図９、図１０は実施例３のメモリカード２０およびアタッチメント３０の斜視図、図１１はメモリカード２０の要部の拡大斜視図である。
【００１９】
図９、図１０に示すように、メモリカード２０は、実施例１と同様に、第１のケース２２と、第１のケース２２に収容された不図示の電子部品と、第１のケース２２の前端（長さ方向の一端）に設けられたコネクタ２６とを有している。
アタッチメント３０は、長さを有する第２のケース３２を備え、第２のケース３２は第１のケース２２の幅および厚さと同一の寸法の幅および厚さを有している。
第２のケース３２の長さは、実施例１と同様に、図２（Ａ）、(Ｂ)、(Ｃ)に示すように、第１のケース２２の長さに対応して決定され、第１のケース２２および第２のケース３２を装着した状態で、それらの長さがＥｘｐｒｅｓｓ  Ｃａｒｄ１０の長さと同一の寸法となるように形成されている。
第１のケース２２の後端（長さ方向の他端）と第２のケース３２の前端（長さ方向の一端）に、それらの長さ方向を並べた状態でそれら第１のケース２２と第２のケース３２が着脱可能に装着される装着部が設けられている。これら装着部は、実施例１と同様に、それらの幅および厚さを合致させた状態でそれら第１のケース２２と第２のケース３２が着脱可能に装着されるように構成されている。
【００２０】
図９に示すように、第２のケース３２の装着部は、第２のケース３２の長さ方向の端面３２０９から長さ方向に突出する係合凸部３２２０と、係合凸部３２２０に設けられた係止凹部３２２２とで構成されている。
係合凸部３２２０は第２のケース３２の幅方向に間隔をおいて２つ設けられ、第２のケース３２の長さ方向、幅方向、厚さ方向に沿った長さ、幅、厚さを有した角柱状に形成されている。
係止凹部３２２２は、各係合凸部３２２０の幅方向の両側面に設けられ、合計４つの係止凹部３２２２が設けられている。
図９、図１１に示すように、第１のケース２２の装着部は、係合凸部３２２０が嵌合される係合凹部２２２０と、係合凹部２２２０内に設けられた押さえばね２２２２とで構成されている。
係合凹部２２２０は、第１のケース２２の幅方向に間隔をおいて２つ設けられている。
押さえばね２２２２は、係合凹部２２２０内で第１のケース２２の幅方向の両側に設けられ合計４つ設けられている。各押さえばね２２２２は、係合凹部２２２０に挿入された係合凸部２２２０の係止凹部３２２２と係脱するように幅方向に弾性変形可能に設けられている。
本実施例では、これら係合凸部３２２０および係止凹部２２２０はメモリカード２０にアタッチメント３０を装着する際の位置決め部材および位置決め孔として機能し、また、係合凸部３２２０が係合凹部２２２０に嵌合され第１のケース２２に対して第２のケース３２の位置決めが行われた状態を保持する係脱機構が押さえばね２２２２と係止凹部３２２２により構成されている。
【００２１】
第１のケース２２の係合凹部２２２０に第２のケース３２の係合凸部３２２０が挿入されると、第１ケース２２の各押さえばね２２２２が第２のケース３２の係止凹部３２２２に係止することで第１のケース２２と第２のケース３２が一体的に結合される。すなわち、メモリカード２０の係合凹部２２１４にアタッチメント３０の係合凸部３２１０を単に挿入するという簡単な操作によりメモリカード２０のアタッチメント３０を連結することができる。
第１のケース２２と第２のケース３２が一体的に結合された状態で、これら第１のケース２２および第２のケース３２がなす外形形状は、Ｅｘｐｒｅｓｓ  Ｃａｒｄ１０と同じ外形形状となる。
第１のケース２２と第２のケース３２の結合の解除は、第１のケース２２と第２のケース３２を長さ方向に沿って互いに離間する方向に引っ張ることで押さえばね２２２２と係止凹部３２２２の係止を解除することでなされる。なお、コネクタ２６とＥｘｐｒｅｓｓ  Ｃａｒｄ用のコネクタとが装着された状態においてそれらコネクタを解除するために必要な力よりも大きな力ではじめて押さえばね２２２２と係止凹部３２２２の係止が解除されるように構成されている。
【００２２】
このようなメモリカード２０によれば、実施例１と同様の作用効果を奏することができる。
【実施例４】
【００２３】
次に実施例４について説明する。
実施例４は実施例３の変形例であり、実施例３では、第１のケース２２の装着部を構成する押さえばね２２２２と、第２のケース３２の装着部を構成する係止凹部３２２２とがそれぞれ４つずつ設けられていたのに対して、実施例４では、第１のケース２２の装着部を構成する押さえばね２２２２と、第２のケース３２の装着部を構成する係止凹部３２２２とがそれぞれ２つずつ設けられている。
図１２（Ａ）は実施例４のメモリカード２０の平面図、（Ｂ）は（Ａ）のＢ矢視図、（Ｃ）は（Ａ）のＣ矢視図である。
図１３（Ａ）は実施例４のアタッチメント３０の平面図、（Ｂ）は（Ａ）のＢ矢視図、（Ｃ）は（Ａ）のＣ矢視図である。
【００２４】
図１３に示すように、第２のケース３２の装着部は、第２のケース３２の長さ方向の端面３２０９から長さ方向に突出する係合凸部３２２０と、係合凸部３２２０に設けられた係止凹部３２２２とで構成されている。
係合凸部３２２０は第２のケース３２の幅方向に間隔をおいて２つ設けられ、第２のケース３２の長さ方向、幅方向、厚さ方向に沿った長さ、幅、厚さを有した角柱状に形成されている。
係止凹部３２２２は、各係合凸部３２２０の幅方向の中央に臨む側面に設けられ、合計２つ設けられている。
図１２に示すように、第１のケース２２の装着部は、係合凸部３２２０が嵌合される係合凹部２２２０と、係合凹部２２２０内に設けられた押さえばね２２２２とで構成されている。
係合凹部２２２０は、第１のケース２２の幅方向に間隔をおいて２つ設けられている。
押さえばね２２２２は、係合凹部２２２０内で第１のケース２２の幅方向の内方に臨む箇所に設けられ合計２つ設けられている。押さえばね２２２２は、係合凹部２２２０に挿入された係合凸部２２２０の係止凹部３２２２と係脱するように幅方向に弾性変形可能に設けられている。
本実施例においても実施例３と同様に、係合凸部３２２０および係止凹部２２２０はメモリカード２０にアタッチメント３０を装着する際の位置決め部材および位置決め孔として機能し、また、係合凸部３２２０が係合凹部２２２０に嵌合され第１のケース２２に対して第２のケース３２の位置決めが行われた状態を保持する係脱機構が押さえばね２２２２と係止凹部３２２２により構成されている。
【００２５】
実施例３と同様に、第１のケース２２の係合凹部２２２０に第２のケース３２の係合凸部３２２０が挿入されると、第１ケース２２の各押さえばね２２２２が第２のケース３２の係止凹部３２２２に係止することで第１のケース２２と第２のケース３２が一体的に結合される。すなわち、メモリカード２０の係合凹部２２１４にアタッチメント３０の係合凸部３２１０を単に挿入するという簡単な操作によりメモリカード２０のアタッチメント３０を連結することができる。
また、第１のケース２２と第２のケース３２が一体的に結合された状態で、これら第１のケース２２および第２のケース３２がなす外形形状は、Ｅｘｐｒｅｓｓ  Ｃａｒｄ１０と同じ外形形状となり、結合の解除は、実施例３と同様に、第１のケース２２と第２のケース３２を長さ方向に沿って互いに離間する方向に引っ張ることでなされる。なお、コネクタ２６とＥｘｐｒｅｓｓ  Ｃａｒｄ用のコネクタとが装着された状態においてそれらコネクタを解除するために必要な力よりも大きな力ではじめて押さえばね２２２２と係止凹部３２２２の係止が解除されるように構成されている。
【００２６】
このようなメモリカード２０によれば、実施例３と同じく実施例１と同様の作用効果を奏することができる。
【実施例５】
【００２７】
次に実施例５について説明する。
実施例５も実施例３の変形例であり、実施例３では、第２のケース３２の係止凹部３２２２が係合凸部３２２０の幅方向の両側面に設けられ、第１のケース２２の押さえばね２２２２が係合凹部２２２０内で第１のケース２２の幅方向の両側に設けられていたのに対して、第２のケース３２の係止凹部３２２２が係合凸部３２２０の厚さ方向の両側面に設けられ、第１のケース２２の押さえばね２２２２が係合凹部２２２０内で第１のケース２２の厚さ方向の両側に設けられている。
図１４（Ａ）は実施例５のメモリカード２０の平面図、（Ｂ）は（Ａ）のＢ矢視図、（Ｃ）は（Ａ）のＣ矢視図である。
図１５（Ａ）は実施例５のアタッチメント３０の平面図、（Ｂ）は（Ａ）のＢ矢視図、（Ｃ）は（Ａ）のＣ矢視図である。
【００２８】
図１４に示すように、第２のケース３２の装着部は、第２のケース３２の長さ方向の端面３２０９から長さ方向に突出する係合凸部３２２０と、係合凸部３２２０に設けられた係止凹部３２２２とで構成されている。
係合凸部３２２０は第２のケース３２の幅方向に間隔をおいて２つ設けられ、第２のケース３２の長さ方向、幅方向、厚さ方向に沿った長さ、幅、厚さを有した角柱状に形成されている。
係止凹部３２２２は、各係合凸部３２２０の厚さ方向の両側面に設けられ、合計４つ設けられている。
図１５に示すように、第１のケース２２の装着部は、係合凸部３２２０が嵌合される係合凹部２２２０と、係合凹部２２２０内に設けられた押さえばね２２２２とで構成されている。
係合凹部２２２０は、第１のケース２２の幅方向に間隔をおいて２つ設けられている。
押さえばね２２２２は、係合凹部２２２０内で第１のケース２２の厚さ方向の両側箇所に設けられ合計４つ設けられている。押さえばね２２２２は、係合凹部２２２０に挿入された係合凸部２２２０の係止凹部３２２２と係脱するように厚さ方向に弾性変形可能に設けられている。
本実施例においても実施例３と同様に、係合凸部３２２０および係止凹部２２２０はメモリカード２０にアタッチメント３０を装着する際の位置決め部材および位置決め孔として機能し、また、係合凸部３２２０が係合凹部２２２０に嵌合され第１のケース２２に対して第２のケース３２の位置決めが行われた状態を保持する係脱機構が押さえばね２２２２と係止凹部３２２２により構成されている。
【００２９】
実施例３と同様に、第１のケース２２の係合凹部２２２０に第２のケース３２の係合凸部３２２０が挿入されると、第１ケース２２の各押さえばね２２２２が第２のケース３２の係止凹部３２２２に係止することで第１のケース２２と第２のケース３２が一体的に結合される。すなわち、メモリカード２０の係合凹部２２１４にアタッチメント３０の係合凸部３２１０を単に挿入するという簡単な操作によりメモリカード２０のアタッチメント３０を連結することができる。
また、第１のケース２２と第２のケース３２が一体的に結合された状態で、これら第１のケース２２および第２のケース３２がなす外形形状は、Ｅｘｐｒｅｓｓ  Ｃａｒｄ１０と同じ外形形状となり、結合の解除は、実施例３と同様に、第１のケース２２と第２のケース３２を長さ方向に沿って互いに離間する方向に引っ張ることでなされる。なお、コネクタ２６とＥｘｐｒｅｓｓ  Ｃａｒｄ用のコネクタとが装着された状態においてそれらコネクタを解除するために必要な力よりも大きな力ではじめて押さえばね２２２２と係止凹部３２２２の係止が解除されるように構成されている。
【００３０】
このようなメモリカード２０によれば、実施例３と同じく実施例１と同様の作用効果を奏することができる。
【実施例６】
【００３１】
次に実施例６について説明する。
実施例６は実施例１の変形例であり、実施例６が実施例１と異なるのは、第１のケース２２の表面に出没可能な突起を設け、第１のケース２２の装着部に第２のケース３２の装着部が装着されることで前記突起を第１のケース２２の内部に没入させるようにしたことである。
図１６（Ａ）は実施例６のメモリカード２０の平面図、（Ｂ）は（Ａ）のＢ矢視図、（Ｃ）は（Ａ）のＣ矢視図である。
図１７（Ａ）は実施例６のアタッチメント３０の平面図、（Ｂ）は（Ａ）のＢ矢視図である。
図１８（Ａ）、（Ｂ）は実施例６のメモリカード２０とアタッチメント３０との装脱動作を示す斜視図である。
図１９は（Ａ）、（Ｂ）は実施例６のメモリカード２０とアタッチメント３０の装脱動作を示す説明図である。
【００３２】
図１６に示すように、メモリカード２０は、実施例１と同様に、第１のケース２２と、第１のケース２２に収容された不図示の電子部品と、第１のケース２２の前端（長さ方向の一端）に設けられたコネクタ２６とを有している。
アタッチメント３０は、長さを有する第２のケース３２を備え、第２のケース３２は第１のケース２２の幅および厚さと同一の寸法の幅および厚さを有している。
第２のケース３２の長さは、実施例１と同様に、図２（Ａ）、(Ｂ)、(Ｃ)に示すように、第１のケース２２の長さに対応して決定され、第１のケース２２および第２のケース３２を装着した状態で、それらの長さがＥｘｐｒｅｓｓ  Ｃａｒｄ１０の長さと同一の寸法となるように形成されている。
第１のケース２２の後端（長さ方向の他端）と第２のケース３２の前端（長さ方向の一端）に、それらの長さ方向を並べた状態でそれら第１のケース２２と第２のケース３２が着脱可能に装着される装着部が設けられている。これら装着部は、実施例１と同様に、それらの幅および厚さを合致させた状態でそれら第１のケース２２と第２のケース３２が着脱可能に装着されるように構成されている。
【００３３】
第１のケース２２の装着部は、第１のケース２２の長さ方向の他端に設けられた係合凸部２２１０と、係止凹部２２１２とで構成されている。
係合凸部２２１０は第１のケース２２の他の部分よりも断面が一回り小さく形成されている。
係止凹部２２１２は厚さ方向の両端に位置する係合凸部２２１０の上面および下面に幅方向に間隔をおいて２つずつ設けられている。
第２のケース３２の装着部は、係合凸部２２１０が嵌合される係合凹部３２０２と、上面下面に幅方向に間隔をおいて２つずつ設けられ上下方向に弾性変形可能な係止爪３２０４とで構成されている。
第１のケース２２の係合凸部２２１０が第２のケース３２の係合凹部３２０２に挿入された状態で第１ケース２２の各係止凹部２２１２に第２のケース３２の各係止爪３２０４が係止することで第１のケース２２と第２のケース３２が一体的に結合されるように構成されている。係合凸部２２１０および係止凹部３２０２はメモリカード２０にアタッチメント３０を装着する際の位置決め部材および位置決め孔として機能し、本実施例では、係合凸部２２１０が係合凹部３２０２に嵌合され第１のケース２２に対して第２のケース３２の位置決めが行われた状態を保持する係脱機構が係止爪３２０４と係止凹部２２１２により構成されている。
第１のケース２２と第２のケース３２が一体的に結合された状態で、これら第１のケース２２および第２のケース３２がなす外形形状は、Ｅｘｐｒｅｓｓ  Ｃａｒｄ１０と同じ外形形状となる。
第１のケース２２と第２のケース３２の結合の解除は、第１のケース２２と第２のケース３２を長さ方向に沿って互いに離間する方向に引っ張ることで係止凹部２２１２と係止爪３２０４の係止を解除することでなされる。なお、コネクタ２６とＥｘｐｒｅｓｓ  Ｃａｒｄ用のコネクタとが装着された状態においてそれらコネクタを解除するために必要な力よりも大きな力ではじめて係止凹部２２１２と係止爪３２０４の係止が解除されるように構成されている。
【００３４】
第１のケース２２の後端には、第１のケース２２の厚さ方向の端部に位置する上面（表面）２２０９に出没可能に突起２９が配設されている。
突起２９には、第１のケース２２の装着部に第２のケース３２の装着部が装着された際に突起２９を上面２２０９から第１のケース２２の内部に没入させる連動機構が連結されている。
図１９（Ａ）に示すように、突起２９は、第１のケース２２の表面２２０９に幅方向に延在形成された開口２２１１内に配置された三角柱状のブロック２９０２で構成され、このブロック２９０２は第１のケース２２の内部に配置された板ばね２９０４の先端に取着されている。
板ばね２９０４は、基端が第１のケース２２の内部箇所に取着され、ブロック２９０２を開口２２１１から表面２２０９の外方に突出させるように常時付勢している。
また、図１９（Ｂ）に示すように、第１のケース２２の係合凸部２２１０が第２のケース３２の係合凹部３２０２に嵌合されると、ブロック２９０２が第２のケース３２の係合凹部３２０２を構成する第２のケース３２の壁部３２０９に当接されることにより、ブロック２９０２が板ばね２９０４の付勢力に抗して第１のケース２２の内部に没入される。
本実施例では、第１のケース２２の装着部に第２のケース３２の装着部が装着された際に突起２９を第１のケース２２の内部に没入させる連動機構が、板ばね２９０４により構成されている。
【００３５】
このようなメモリカード２０によれば、実施例１と同様の作用効果を奏することは無論のこと、メモリカード２０にアタッチメント３０を装着していない状態では、突起２９が表面２２０９から突出しているため、仮にメモリカード２０を単体でＥｘｐｒｅｓｓ  Ｃａｒｄ専用のスロットに装着したとしても、前記スロットの縁部の外側に突起２９が位置するため、突起２９が前記スロットの縁部に係止することでメモリカード２０が前記専用のスロットの内側に落ち込んで取り出せなくなるといった不都合を確実に回避する上で有利となる。
【実施例７】
【００３６】
次に実施例７について説明する。
実施例７は実施例６の変形例であり、実施例７が実施例６と異なるのは、実施例６では連動機構により突起２９を第１のケース２２に対して出没していたのに対し、実施例７ではユーザーが突起２９を出没させるようにしている。
図２０は実施例７のメモリカード２０の凸部が突出した状態における平面図である。
図２１（Ａ）は実施例７のメモリカード２０の凸部が没入した状態における平面図、（Ｂ）は（Ａ）のＢ矢視図である。
図２２は実施例７のアタッチメント３０の平面図である。
図２３（Ａ）は実施例７のメモリカード２０の凸部が突出した状態を示す斜視図、（Ｂ）は実施例７のメモリカード２０の凸部が没入した状態を示す斜視図である。
図２４は実施例７のメモリカード２０とアタッチメント３０の斜視図である。
【００３７】
図２０、図２１、図２４に示すように、メモリカード２０は、実施例１と同様に、第１のケース２２と、第１のケース２２に収容された不図示の電子部品と、第１のケース２２の前端（長さ方向の一端）に設けられたコネクタ２６とを有している。
図２２、図２４に示すように、アタッチメント３０は、長さを有する第２のケース３２を備え、第２のケース３２は第１のケース２２の幅および厚さと同一の寸法の幅および厚さを有している。
第２のケース３２の長さは、実施例１と同様に、図２（Ａ）、(Ｂ)、(Ｃ)に示すように、第１のケース２２の長さに対応して決定され、第１のケース２２および第２のケース３２を装着した状態で、それらの長さがＥｘｐｒｅｓｓ  Ｃａｒｄ１０の長さと同一の寸法となるように形成されている。
第１のケース２２の後端（長さ方向の他端）と第２のケース３２の前端（長さ方向の一端）に、それらの長さ方向を並べた状態でそれら第１のケース２２と第２のケース３２が着脱可能に装着される装着部が設けられている。これら装着部は、実施例１と同様に、それらの幅および厚さを合致させた状態でそれら第１のケース２２と第２のケース３２が着脱可能に装着されるように構成されている。
【００３８】
図２２に示すように、第２のケース３２の装着部は、第２のケース３２の長さ方向の端面３２０９から長さ方向に突出する係合凸部３２２０と、係合凸部３２２０に設けられた係止凹部３２２２とで構成されている。
係合凸部３２２０は第２のケース３２の幅方向に間隔をおいて２つ設けられ、第２のケース３２の長さ方向、幅方向、厚さ方向に沿った長さ、幅、厚さを有した角柱状に形成されている。
係止凹部３２２２は、各係合凸部３２２０の幅方向の両側面に設けられ、合計４つの係止凹部３２２２が設けられている。
図２０、図２１に示すように、第１のケース２２の装着部は、係合凸部３２２０が嵌合される係合凹部２２２０と、係合凹部２２２０内に設けられた押さえばね２２２２とで構成されている。係合凹部２２２０は、第１のケース２２の幅方向に間隔をおいて２つ設けられている。押さえばね２２２２は、係合凹部２２２０内で第１のケース２２の幅方向の両側に設けられ合計４つ設けられている。各押さえばね２２２２は、係合凹部２２２０に挿入された係合凸部２２２０の係止凹部３２２２と係脱するように幅方向に弾性変形可能に設けられている。
第２のケース３２の係合凸部３２２０が第１のケース２２の係合凹部２２２０に挿入された状態で第２ケース３２の各係止凹部３２２２に第１のケース２２の各押さえばね２２２２が係止することで第１のケース２２と第２のケース３２が一体的に結合されるように構成されている。
係合凸部２２１０および係合凹部２２２０はメモリカード２０にアタッチメント３０を装着する際の位置決め部材および位置決め孔として機能し、本実施例では、係合凸部３２２０が係合凹部２２２０に嵌合され第１のケース２２に対して第２のケース３２の位置決めが行われた状態を保持する係脱機構が押さえばね２２２２と係止凹部３２２２により構成されている。
【００３９】
第１のケース２２の係合凹部２２２０に第２のケース３２の係合凸部３２２０が挿入されると、第１ケース２２の各押さえばね２２２２が第２のケース３２の係止凹部３２２２に係止することで第１のケース２２と第２のケース３２が一体的に結合される。すなわち、メモリカード２０の係合凹部２２１４にアタッチメント３０の係合凸部３２１０を単に挿入するという簡単な操作によりメモリカード２０のアタッチメント３０を連結することができる。
第１のケース２２と第２のケース３２が一体的に結合された状態で、これら第１のケース２２および第２のケース３２がなす外形形状は、Ｅｘｐｒｅｓｓ  Ｃａｒｄ１０と同じ外形形状となる。
第１のケース２２と第２のケース３２の結合の解除は、第１のケース２２と第２のケース３２を長さ方向に沿って互いに離間する方向に引っ張ることで押さえばね２２２２と係止凹部３２２２の係止を解除することでなされる。なお、コネクタ２６とＥｘｐｒｅｓｓ  Ｃａｒｄ用のコネクタとが装着された状態においてそれらコネクタを解除するために必要な力よりも大きな力ではじめて押さえばね２２２２と係止凹部３２２２の係止が解除されるように構成されている。
【００４０】
第１のケース２２の後端には、第１のケース２２の幅方向の端部に位置する側面２２３０に出没可能に突起２９が配設されている。
図２０、図２１に示すように、突起２９は、第１のケース２２の側面２２３０に形成された開口２２３２内に配置された突起本体２９１２と、突起本体２９１２に接続され係合凹部２２２０の開口寄り箇所を開閉する開閉板２９１４とを有している。
図２３（Ｂ）に示すように、開閉板２９１４には、係合凹部２２２０と同じ輪郭の孔２９１４Ａが設けられている。
突起本体２９１２と第１のケース２２の間には突起本体２９１２を側面２２３０の外方に突出する方向に常時付勢する板ばね２９１６が設けられている。
突起２９は、図２０、図２３（Ａ）に示すように、板ばね２９１６の付勢力により不図示のストッパに当接することで、突起本体２９１２が第１のケース２２の側面２２３０から突出した突出位置に位置し、この状態で、開閉板２９１４が係合凹部２２２０内に侵入することで係合凹部２２２０が閉塞される。
また、突起２９は、図２１、図２３（Ｂ）に示すように、板ばね２９１６の付勢力に抗して、突起本体２９１２が開口２２３２内に押し込まれることで、突起本体２９１２が第１のケース２２の側面２２３０と同一面上に位置し、あるいは、側面２２３０よりも幅方向の内側に位置した没入位置となり、この状態で、開閉板２９１４の孔２９１４Ａと係合凹部２２２０が合致することで係合凹部２２２０が開放される。
したがって、第１のケース２２に第２のケース３２を装着する場合には、ユーザーが突起本体２９１２を第１のケース２２の幅方向の内側に押し込んで突起２９を前記没入位置に位置させ係合凹部２２２０を開放させる。
その状態でメモリカード２０の係合凸部３２２２を開閉板２９１４の孔２９１４Ａを介してアタッチメント３０の係合凹部２２２０に挿入する。これにより、押さえばね２２２２が係止凹部３２２２に係止して第１のケース２２に第２のケース３２が結合される。
次いで、突起本体２９１２から指を離すと突起２９が板ばね２９１６の付勢力により前記突出位置に向けて付勢されるが、開閉板２９１４の孔２９１４Ａの縁部が係合凸部３２２２に当接することで突起２９は前記没入位置に保持される。
第１のケース２２と第２のケース３２の結合を解除する場合には、第１のケース２２と第２のケース３２を長さ方向に沿って互いに離間する方向に引っ張ることで係合凹部２２２０から係合凸部３２２２を抜去する。係合凹部２２２０から係合凸部３２２２が外れることで突起２９は板ばね２９１６の付勢力により前記突出位置に移動される。
【００４１】
このようなメモリカード２０によれば、実施例１と同様の作用効果を奏することは無論のこと、メモリカード２０にアタッチメント３０を装着していない状態では、突起２９が表面２２０９から突出しているため、実施例６と同様に、仮にメモリカード２０を単体でＥｘｐｒｅｓｓ  Ｃａｒｄ専用のスロットに装着したとしても、前記スロットの縁部の外側に突起２９が位置するため、突起２９が前記スロットの縁部に係止することでメモリカード２０が前記専用のスロットの内側に落ち込んで取り出せなくなるといった不都合を確実に回避する上で有利となる。
また、アタッチメント３０の非使用時に、開閉板により係合凹部がふさがれるので、係合凹部への塵埃の侵入を防止する上で有利である。
【実施例８】
【００４２】
次に実施例８について説明する。
実施例８が実施例１〜７と異なるのは、実施例１〜７がメモリカード２０がアタッチメント３０を装着可能に構成されていたのに対して、実施例８ではアタッチメント３０を装着せずに使用するようにしていていることである。
図２５（Ａ）、（Ｂ）は実施例８のメモリカード２０の斜視図である。
【００４３】
図２５に示すように、メモリカード２０は、実施例１と同様に、第１のケース２２と、第１のケース２２に収容された不図示の電子部品と、第１のケース２２の前端（長さ方向の一端）に設けられたコネクタ２６とを有している。
第１のケース２２の長さは、実施例１と同様に、図２（Ａ）、(Ｂ)、(Ｃ)に示すように、Ｅｘｐｒｅｓｓ  Ｃａｒｄ１０の長さよりも小さい寸法で形成されている。
第１のケース２２の後端（長さ方向の他端）には、第１のケース２２の上面２２４０（表面）よりも上方に突出する突起２２４２が形成されている。
突起２２４２は、幅方向の中央に設けられ幅方向に延在形成されている。
【００４４】
このようなメモリカード２０によれば、携帯電話機などの小型の電子機器に設けられたスロットにメモリカード２０単体を装着して使用することができる。
また、仮にメモリカード２０を単体でＥｘｐｒｅｓｓ  Ｃａｒｄ専用のスロットに装着したとしても、前記スロットの縁部の外側に突起２２４２が位置するため、突起２２４２が前記スロットの縁部に係止することでメモリカード２０が前記専用のスロットの内側に落ち込んで取り出せなくなるといった不都合を確実に回避する上で有利となる。
なお、実施例８では突出片２２４２を第１のケース２２の上面２２４０から上方に突出するように設けた場合について説明したが、突出片２２４２は、第１のケース２２の下面から下方に突出するように設けてもよいし、あるいは、左右両側面から幅方向外方に突出するように設けてもよいことはもちろんである。
【００４５】
なお、各実施例では、カード型周辺装置がメモリカード２０である場合について説明したが、本発明はカード型周辺装置がメモリカードを構成する場合に限定されるものではなく、カード型周辺装置がハードディスク装置、無線通信装置、あるいは、種々のインターフェース装置などを構成するものなどに広く適用可能である。
また、メモリカード２０に対してアタッチメント３０を位置決めする構造は、実施例のような係合凸部と係合凹部に限定されず、従来公知の様々な構成を採用可能である。
また、係脱機構の構造は、係止爪や係止凹部からなる構成、あるいは、押さえばねや係止凹部からなる構成に限定されず、従来公知の様々な構成を採用可能である。
また、アタッチメント３０の第２のケース３２の形状は、実施例のように第１のケース２２と同じ幅および厚さを持ったものに限定されず、例えば第１のケース２２よりも小さい幅を有していてもよいし、あるいは、第１のケース２２よりも小さい厚さを有していてもよいし、要するに、メモリカード２０にアタッチメント３０を装着し、Ｅｘｐｒｅｓｓ  Ｃａｒｄ専用のスロットのような第１のケース２２の長さよりも大きい寸法の深さのスロットに装着でき、また、抜き取ることができる形状であればよい。
【図面の簡単な説明】
【００４６】
【図１】（Ａ）はＥｘｐｒｅｓｓ  Ｃａｒｄの平面図、（Ｂ）は（Ａ）のＢ矢視図、（Ｃ）は（Ａ）のＣ矢視図、（Ｄ）は（Ａ）のＤ矢視図である。
【図２】（Ａ）、(Ｂ)、(Ｃ)はＥｘｐｒｅｓｓ  Ｃａｒｄと本実施例のメモリカードの関係を示す説明図である。
【図３】実施例１のメモリカードの分解斜視図である。
【図４】（Ａ）は実施例１のメモリカードと第２のケースとが分離された状態を示す斜視図、（Ｂ）は実施例１のメモリカードと第２のケースとが装着された状態を示す斜視図である。
【図５】実施例２のメモリカード２０の斜視図である。
【図６】実施例２のアタッチメント３０の斜視図である。
【図７】実施例２のアタッチメント３０の構成を示す説明図である。
【図８】（Ａ）、（Ｂ）、（Ｃ）はメモリカード２０とアタッチメント３０の装脱動作を示す説明図である。
【図９】実施例３のメモリカード２０およびアタッチメント３０の斜視図である。
【図１０】実施例３のメモリカード２０およびアタッチメント３０の斜視図である。
【図１１】メモリカード２０の要部の拡大斜視図である。
【図１２】（Ａ）は実施例４のメモリカード２０の平面図、（Ｂ）は（Ａ）のＢ矢視図、（Ｃ）は（Ａ）のＣ矢視図である。
【図１３】（Ａ）は実施例４のアタッチメント３０の平面図、（Ｂ）は（Ａ）のＢ矢視図、（Ｃ）は（Ａ）のＣ矢視図である。
【図１４】（Ａ）は実施例５のメモリカード２０の平面図、（Ｂ）は（Ａ）のＢ矢視図、（Ｃ）は（Ａ）のＣ矢視図である。
【図１５】（Ａ）は実施例５のアタッチメント３０の平面図、（Ｂ）は（Ａ）のＢ矢視図、（Ｃ）は（Ａ）のＣ矢視図である。
【図１６】（Ａ）は実施例６のメモリカード２０の平面図、（Ｂ）は（Ａ）のＢ矢視図、（Ｃ）は（Ａ）のＣ矢視図である。
【図１７】（Ａ）は実施例６のアタッチメント３０の平面図、（Ｂ）は（Ａ）のＢ矢視図である。
【図１８】（Ａ）、（Ｂ）は実施例６のメモリカード２０とアタッチメント３０との装脱動作を示す斜視図である。
【図１９】（Ａ）、（Ｂ）は実施例６のメモリカード２０とアタッチメント３０の装脱動作を示す説明図である。
【図２０】実施例７のメモリカード２０の凸部が突出した状態における平面図である。
【図２１】（Ａ）は実施例７のメモリカード２０の凸部が没入した状態における平面図、（Ｂ）は（Ａ）のＢ矢視図である。
【図２２】実施例７のアタッチメント３０の平面図である。
【図２３】（Ａ）は実施例７のメモリカード２０の凸部が突出した状態を示す斜視図、（Ｂ）は実施例７のメモリカード２０の凸部が没入した状態を示す斜視図である。
【図２４】実施例７のメモリカード２０とアタッチメント３０の斜視図である。
【図２５】（Ａ）、（Ｂ）は実施例８のメモリカード２０の斜視図である。
【符号の説明】
【００４７】
２０……メモリカード、２２……第１のケース、２６……コネクタ、３０……アタッチメント、３２……第２のケース。
【図１】
2006106826.tif 000003
【図２】
2006106826.tif 000004
【図３】
2006106826.tif 000005
【図４】
2006106826.tif 000006
【図５】
2006106826.tif 000007
【図６】
2006106826.tif 000008
【図７】
2006106826.tif 000009
【図８】
2006106826.tif 000010
【図９】
2006106826.tif 000011
【図１０】
2006106826.tif 000012
【図１１】
2006106826.tif 000013
【図１２】
2006106826.tif 000014
【図１３】
2006106826.tif 000015
【図１４】
2006106826.tif 000016
【図１５】
2006106826.tif 000017
【図１６】
2006106826.tif 000018
【図１７】
2006106826.tif 000019
【図１８】
2006106826.tif 000020
【図１９】
2006106826.tif 000021
【図２０】
2006106826.tif 000022
【図２１】
2006106826.tif 000023
【図２２】
2006106826.tif 000024
【図２３】
2006106826.tif 000025
【図２４】
2006106826.tif 000026
【図２５】
2006106826.tif 000027